(57)【要約】【課題】  本発明は、２つの筐体から構成された電子機器の防水性を高める。【解決手段】  上筐体２と下筐体３とはフレキシブル基板６を介して電気的に接続されている。また、下筐体３は外ケース４と内ケース５を嵌め合わせて構成されている。フレキシブル基板６を弾性部材で構成したパッキン７によって覆う。パッキン７で覆われたフレキシブル基板６を、内ケース５に設けた溝に挿入する。このパッキン７を、ホルダ１１によって内ケース５に向かって押圧する。ホルダ１１と外ケース４との間に、電波信号を送受信するアンテナ１３を設ける。【選択図】図３
2010287942.tif 000002
【特許請求の範囲】
【請求項１】
第１の筐体と、
前記第１の筐体の一面に設けられた第１の開口部と、
内ケースと外ケースとを接合してなる第２の筐体と、
前記内ケースの一面に設けられた第２の開口部と、
前記第１の開口部及び前記第２の開口部を通り、前記第１の筐体と前記第２の筐体とを電気的に接続するフレキシブル基板と、
前記第２の開口部を塞いだ状態で前記フレキシブル基板を覆う、弾性部材によって構成されたパッキンと、
前記第２の筐体に内蔵され、前記パッキンを前記内ケースに対して押圧するホルダと、
前記ホルダに設けられたねじ穴と、
前記内ケースに設けられ、ねじを固定する凹部と、
前記ねじ穴及び前記凹部に挿入され、前記ホルダと前記内ケースとを螺合する前記ねじと、
前記ホルダと前記外ケースとの間に介装され、電波信号の送受信を行うアンテナと
を具備することを特徴とする電子機器。
【請求項２】
前記アンテナと電気的に接続されるアンテナスプリングを更に備え、
前記ホルダは前記パッキンに加えて前記アンテナスプリングを前記内ケースに対して押圧し、
前記ねじ穴及び前記凹部は、前記ホルダが前記パッキンを押圧する箇所と前記アンテナスプリングを押圧する箇所の間に設けられたことを特徴とする請求項１に記載の電子機器。
【発明の詳細な説明】
【技術分野】
【０００１】
本発明は、２つの筐体から構成され、防水性を持った電子機器に関する。
【背景技術】
【０００２】
近年、上側筐体と下側筐体の２つの筐体を接続し、２つの筐体に表示装置や操作キーをそれぞれ設けた電子機器が広く普及している。こうした電子機器の一例である折畳式携帯電話機は、例えば上筐体に表示装置が設けられ、また下筐体に操作キーなどが設けられている。これらの表示装置と操作キーは、折畳式携帯電話機が折り畳まれたとき内側に配置される様に設けられている。使用者は、折畳式携帯電話機を持ち歩く際にはこれを折り畳みコンパクト化して携帯し、使用する際にはこれを開いて表示装置と操作キーを操作可能に露出させる。このような折畳式携帯電話機などの、２つの筐体を接続した電子機器においては、上筐体と下筐体との間に折り曲げ可能な所謂フレキシブル基板が挿入されている。このフレキシブル基板が例えば表示装置へ表示する画像情報などの信号を上筐体と下筐体との間で伝達する役割を有している。
【０００３】
ところで、このような折畳式携帯電話機の上筐体及び下筐体の内部においては、様々な信号処理を行う機能を備えた電子回路が内蔵されている。ここで、折畳式携帯電話機が水に濡れた場合に筐体内部に水が入り込んだ事態を考えると、電子回路表面に付着した水によって電子回路の想定しない箇所へ電流が流れることで、折畳式携帯電話機が破損する虞があった。そこで、筐体内部に水が入り込む事態を防ぐために、筐体の接合部をゴムなどの弾性部材で覆い、筐体を密封する発明が開示されている（例えば、特許文献１を参照）。
【先行技術文献】
【特許文献】
【０００４】
【特許文献１】特開２００９−５００２号公報
【発明の概要】
【発明が解決しようとする課題】
【０００５】
このような防水機能を備えた折畳式携帯電話機において、下筐体の折畳接合部に注目する。先述したフレキシブル基板は折畳接合部において、上筐体及び下筐体の外側へ飛び出した構成を取ることとなる。このフレキシブル基板の飛び出し部から筐体内部へ水の浸入を防ぐために、フレキシブル基板の周辺は、弾性部材から構成されたパッキンで覆われている。
【０００６】
一方、この折畳接合部に電波信号を送受信するアンテナを設けると、下筐体の折畳接合部にはパッキンで覆われたフレキシブル基板と、アンテナとが存在することとなる。従来の防水機能を備えた折畳式携帯電話機の折畳接合部の断面図を図４に示し、その構成について述べる。従来の折畳式携帯電話機の折畳接合部は、このフレキシブル基板１０６とアンテナ１１３とを内ケース１０５と外ケース１０４で挟み込み、フレキシブル基板１０６の飛び出し部をパッキン１０７で密閉することで構成されている。まず、内ケース１０５に設けた溝部にパッキン１０７で覆われたフレキシブル基板１０６を挿入する。パッキン１０７およびフレキシブル基板１０６を固定するため、パッキン１０７と内ケース１０５の溝部とを固定する位置に両面テープＡ１０８を貼り付ける。更に、両面テープＡ１０８の上部に、アンテナ１１３とのクリアランスを確保するためのＰＥＴシート１１４を貼り付ける。更に、ＰＥＴシート１１４上にアンテナ１１３を配置する。ここで、図に示したアンテナ１１３はモールドと一体に形成されている。アンテナ１１３の上部から外ケース１０４を被せ、内ケース１０５に嵌め込む。ここで、外ケース１０４、アンテナ１１３、及び内ケース１０５には共通する位置にねじ穴および凹部が設けられている。各ねじ穴および凹部を係止するねじ１１２によって内ケース１０４、アンテナ１１３、及び外ケース１０５を締め付け固定することで、アンテナ１１３がパッキン１０７で覆われたフレキシブル基板１０６を内ケース１０５へ向かって押さえつける。押圧されたパッキン１０７が変形し、内ケース１０５に設けられた溝と密着することで、下筐体の内部に水が浸入する事態が防がれる。
【０００７】
上記の構成により防水機能を確保する場合には、ねじ１１２によって固定される外ケース１０４、アンテナ１１３、ＰＥＴシート１１４、両面テープＡ１０８、パッキン１０７で覆われたフレキシブル基板１０６、及び内ケース１０５の全ての部材について、厚み方向の寸法のばらつきが十分小さな値となる必要がある。各部材の寸法のばらつきによって、押圧されたパッキン１０７の変形量もばらついてしまう。これにより、内ケース１０５に設けられた溝とパッキン１０７との密着が保たれず、十分な防水機能を確保できない問題があった。更に、外ケース４の外部に露出したねじ１１２は折畳式携帯電話機の外観を損ねるため、ねじ１１２を隠す目隠し板１１５を別途外ケース１０４の外側から設ける必要があった。
【０００８】
本発明は、上記問題点を解決するためになされたもので、パッキンで覆われたフレキシブル基板を押圧するホルダを設け、ホルダと内ケースとをねじで固定することを特徴とする。
【課題を解決するための手段】
【０００９】
前記目的を達成するために、本発明の電子機器は、第１の筐体と、前記第１の筐体の一面に設けられた第１の開口部と、内ケースと外ケースとを接合してなる第２の筐体と、前記内ケースの一面に設けられた第２の開口部と、前記第１の開口部及び前記第２の開口部を通り、前記第１の筐体と前記第２の筐体とを電気的に接続するフレキシブル基板と、前記第２の開口部を塞いだ状態で前記フレキシブル基板を覆う、弾性部材によって構成されたパッキンと、前記第２の筐体に内蔵され、前記パッキンを前記内ケースに対して押圧するホルダと、前記ホルダに設けられたねじ穴と、前記内ケースに設けられ、ねじを固定する凹部と、前記ねじ穴及び前記凹部に挿入され、前記ホルダと前記内ケースとを螺合する前記ねじと、前記ホルダと前記外ケースとの間に介装され、電波信号の送受信を行うアンテナとを具備することを特徴とする。
【発明の効果】
【００１０】
本発明によれば、携帯電話機の結合部における、筐体内部への防水性を高めた携帯電話機が提供できる。
【図面の簡単な説明】
【００１１】
【図１】本発明に係る電子機器の一例である折畳式携帯電話機の外観の構成を示す図。
【図２】本発明の実施形態に係る折畳式携帯電話機の下筐体の、折畳接合部における内部の部材構成を示す図。
【図３】本発明の実施形態に係る折畳式携帯電話機の、ねじによってホルダおよび内ケースを固定した様子を示す断面図。
【図４】従来の折畳式携帯電話機における、ねじによって外ケース、アンテナ、および内ケースを固定した様子を示す断面図。
【発明を実施するための形態】
【００１２】
以下、本発明の実施の形態について図面を参照して説明する。
【００１３】
図１は、本発明に係る電子機器の一例である折畳式携帯電話機１の外観の構成を示す図である。図１は、折畳式携帯電話機１を裏面から見た外観の構成を示している。
【００１４】
折畳式携帯電話機１は、上筐体２と下筐体３とを折畳可能に接続して構成されており、例えば上筐体２には文字や図形を表示する図示しない表示装置が設けられ、下筐体３には携帯電話機内部の電子回路へ電気信号を送信する図示しない操作キーなどが設けられる。
【００１５】
図２に、下筐体３の折畳接合部に関わる部品構成を示す。また、図３に、図１中のＸ−Ｘ’面における断面図を示す。
【００１６】
図２及び図３に示すように、下筐体３は内ケース４と外ケース５とを嵌め合わせて構成されている。この内ケース４には溝が設けられており、この溝にフレキシブル基板６が挿入されている。フレキシブル基板６は先述した表示装置や操作キー、及び上筐体２及び下筐体３に内蔵された電子回路などと接続されており、上筐体２と下筐体３との間で電気信号の伝送を行う。フレキシブル基板６は上筐体２と下筐体３との間を接続しているために、下筐体３からフレキシブル基板６が飛び出すこととなる。
【００１７】
下筐体３の防水性を確保するためには、下筐体３の周囲をくまなく密閉する必要がある。従って、内ケース４と外ケース５との嵌め合わせ部だけでなく、フレキシブル基板６の飛び出し部をも同様に密閉する必要がある。そこで、本実施形態においては、フレキシブル基板６をパッキン７で隙間無く覆い、パッキン７によってフレキシブル基板６の飛び出し部を密閉している。パッキン７は例えばゴムやエラストマ材などの弾性部材を用いて構成される。また、パッキン７で覆われたフレキシブル基板６及び内ケース５の上部から貼り付けられた両面テープＡ８によって両者が固定される。
【００１８】
一方、下筐体３の折畳接合部には電波信号を送受信するアンテナ１３が設けられる。アンテナ１３は下筐体３の内部に搭載された電子回路から放射されるノイズを受けて電波信号の送受信能力が悪化する。電子回路は通常、下筐体３の中心部に集中して配置されるため、アンテナ１３は下筐体３の縁辺に近い位置に配置することが望ましい。従って、折畳接合部の様な、下筐体３の中心部から遠い位置にアンテナ１３を配置することで、アンテナ１３が電子回路から受けるノイズ量を減らし、電波信号の送受信能力を保つことができる。
【００１９】
また、アンテナ１３が電波信号を送受信する際の電波信号の品質は、アンテナ１３の近傍に存在する障害物に影響を受ける。例えば折畳式携帯電話機１を使用者が把持した際には携帯電話機１を把持する手や使用者の頭部が障害物となり、アンテナ１３が送受信する電波信号の品質が悪化する虞がある。従って、アンテナ１３の電波信号の放射方向が、使用者の手や頭部と異なる位置にくるようにアンテナ１３を配置することが望ましい。本実施形態においては、図２にあるようにアンテナ１３が下筐体３の中心部から遠い位置であって、更に外ケース４に近い側に取り付けられている。これにより、アンテナ１３の電波信号の放射方向は使用者の手や頭部に遮蔽される可能性が少なく、アンテナ１３の電波信号の送受信能力を保つことができる。このアンテナ１３は金属導体からなるパッチアンテナの構成を取り、外ケース４に貼り付けられる。なお、本実施形態においてはアンテナ１３の例としてパッチアンテナによる構成を述べるが、逆Ｆアンテナなどの他の平面アンテナや、ダイポールアンテナなどの所謂線状アンテナの構成を取っても構わない。
【００２０】
先述したアンテナ１３には、アンテナ１３が他の電子回路との導通を確保するための、アンテナスプリング９が接続される。アンテナスプリング９は内ケース５に設けられた溝に挿入され、アンテナ１３及び下筐体３の内部に設けられた電子回路と接続される。また、アンテナスプリング９及び内ケース５の上部から貼り付けられた両面テープＢ１０によって両者が固定される。
【００２１】
先述したパッキン７に覆われたフレキシブル基板６は、内ケース５との密閉性を確保するために、内ケース５の方向へ向かって押圧されて固定される必要がある。本実施形態においては、ホルダ１１を用いてパッキン７に覆われたフレキシブル基板６の押圧を行っている。図３に示すように、パッキン７に覆われたフレキシブル基板６の上面とアンテナスプリング９の上面をそれぞれ覆う、ホルダ１１を設ける。このホルダ１１にねじ穴を設け、ねじ穴にねじ１２を挿入する。内ケース５にはホルダ１１に設けられたねじ穴と対応する位置に凹部が設けられており、ホルダ１１と内ケース５とはねじ１２が差し込まれた状態で固定される。ねじ１２を固定することによってホルダ１１が内ケース５の方向に押し付けられ、ホルダ１１に覆われたフレキシブル基板６とアンテナスプリング９も内ケース５の方向に押圧される。このホルダ１１による押圧を受けてパッキン７に覆われたフレキシブル基板６が固定され、内ケース５、パッキン７に覆われたフレキシブル基板６、及び両面テープＡ８の間の密閉が確保される。一方アンテナスプリング９もホルダ１１による押圧を受けて内ケース５に設けられた溝へ固定される。
【００２２】
なお、ホルダ１１がフレキシブル基板６及びアンテナスプリング９を押圧する応力は、ホルダ１１と内ケース５とを固定するねじ１２に近いほど大きな力となる。図３に示すように、本実施形態においてはフレキシブル基板６とアンテナスプリング９との間に位置するようにねじ穴、凹部及びねじ１２を設けている。フレキシブル基板６とアンテナスプリング９の双方に近い位置にねじ１２を設けることで、十分な応力をもってフレキシブル基板６とアンテナスプリング９の双方を内ケース５に対し押圧することができる。
【００２３】
以上の構成によれば、フレキシブル基板６の飛び出し部の密閉性の確保を、内ケース５、パッキン７に覆われたフレキシブル基板６、両面テープＡ８、及びホルダ１１の部材で行うことができる。密閉性の確保に対しては、各部材の寸法のばらつきや、部材表面の突起や傷などが悪影響を与えるが、本実施形態においては、フレキシブル基板６の飛び出し部において密閉性の確保に悪影響を与える部材は内ケース５、パッキン７に覆われたフレキシブル基板６、両面テープＡ８、及びホルダ１１である。フレキシブル基板６の飛び出し部を密閉する部材の数が少ないために、飛び出し部を密閉する部材の数が多い従来の折畳式携帯電話機に比べて、密閉性を高めることができる。
【００２４】
なお、この構成によれば内ケース５及びホルダ１１にねじ穴を設けることでパッキン７に覆われたフレキシブル基板６及びアンテナスプリング９を押圧することができる。従って、アンテナ１３にねじ穴を設ける必要がない。アンテナ１３は一般にアンテナ領域が大きい程電波信号の送受信品質が高まる。本実施形態においては、従来必要であったアンテナ１３に設けたねじ穴を取り除くことによってアンテナ領域を拡大し、アンテナ１３の電波信号の送受信品質を改善することができる。
【００２５】
更に、この構成によれば、ねじ１２が下筐体３の外部に露出することがない。ねじ１２が下筐体３の外部に露出する場合は、ねじ１２が折畳式携帯電話機１の外観に悪影響を与えてしまう。ねじ１２が下筐体３の外部へ露出する従来の折畳式携帯電話機においては目隠し板１５を設け、露出したねじ１２を隠していた。しかし、目隠し板１５を設けることで折畳式携帯電話機１のデザイン上の自由度が低くなり、更に目隠し板１５の存在によって折畳式携帯電話機１の厚みが増加する問題があった。本実施形態においては、ねじ１２が下筐体３の内部に隠されていることで、従来の折畳式携帯電話機１における目隠し板１５の分だけ必要であった厚みを減少させ、更にデザイン上の自由度を確保することができる。
【００２６】
本明細書においては、ホルダ１１が内ケース５に対し押圧し固定する部材の例として、パッキン７に覆われたフレキシブル基板６及びアンテナスプリング９を挙げた。しかし、ホルダ１１によって押圧される部材はこれに限られるものではなく、例えばアンテナスプリング９の代わりにスピーカやカメラ部材、あるいは電子回路などの他の部材を押圧するものであっても構わない。あるいは、ホルダ１１によって押圧される部材の数は２つに限られるものではなく、例えば３つ以上の部材を押圧するものであっても構わない。
【００２７】
なお、ここに述べた実施の形態において、折畳式携帯電話機を例に挙げて説明を行った。しかし、本発明の範囲はこれに限定されるものではなく、例えばスライド式携帯電話機などの、２つの筐体をスライド移動可能に係合した携帯電話機であってもよい。また、例えばＰＤＡ（Ｐｅｒｓｏｎａｌ  Ｄｉｇｉｔａｌ  Ａｓｓｉｓｔａｎｔ）や有線端末、あるいは電子辞書などの通信機能を持たない小型情報処理機器などにも適用できる。
【００２８】
本発明は、上記実施形態に限定されるものではなく、発明の要旨を逸脱しない範囲であれば、構成要素を変形して具体化しても良い。また、上記各実施形態に開示されている複数の構成要素の適宣な組み合わせにより、種々の発明を形成しても良い。例えば、各実施形態に示される全構成要素から幾つかの構成要素を削除しても良い。
【符号の説明】
【００２９】
１  折畳式携帯電話機
２  上筐体
３  下筐体
４  内ケース
５  外ケース
６  フレキシブル基板
７  パッキン
８  両面テープＡ
９  アンテナスプリング
１０  両面テープＢ
１１  ホルダ
１２  ねじ
１３  アンテナ
１０４  内ケース
１０５  外ケース
１０６  フレキシブル基板
１０７  パッキン
１０８  両面テープＡ
１１２  ねじ
１１３  アンテナ
１１４  ＰＥＴシート
１１５  目隠し板
【図１】
2010287942.tif 000003
【図２】
2010287942.tif 000004
【図３】
2010287942.tif 000005
【図４】
2010287942.tif 000006